(57)【要約】【課題】照射光を当てたくない部位に対する安全性の向上した光照射機器を提供する。【解決手段】本発明の光照射機器は、把持して使用する本体１の一端に、光源４と、光源４の発した光を生体の皮膚２０に向けて照射する照射口５と、照射口５の外周を覆い漏光を防止する遮光筒６と、遮光筒６の外周に位置し皮膚２０に接触する肌当て７と、を備えている。そして、遮光筒６と肌当て７の外端の間の距離を上記皮膚２０に照射した光が生体内部で反射拡散して無害化する距離である安全距離Ｌ以上離した。これにより、皮膚２０に光を照射する際に、照射口５から眼や粘膜等を安全距離Ｌ以上離すことができて、眼や粘膜等に対する安全性を向上することができる。【選択図】図１
2011067455.tif 000002
【特許請求の範囲】
【請求項１】
把持して使用する本体の一端に、光源と、上記光源の発した光を生体の皮膚に向けて照射する照射口と、上記照射口の外周を覆い光を遮断する遮光筒と、上記遮光筒の外周に位置し皮膚に接触する肌当てと、を備え、上記遮光筒の先端及び肌当てを皮膚に当接して光源の光を皮膚の上記遮光筒に囲まれた部位に照射するものであり、上記遮光筒と肌当ての外端の間の照射口と平行な面上の寸法を上記照射口から皮膚に照射した光が生体内部で反射拡散して無害化される距離である安全距離以上としたことを特徴とする光照射機器。
【請求項２】
前記肌当てが前記遮光筒の外周から一体で延設されたものであることを特徴とする請求項１に記載の光照射機器。
【請求項３】
前記肌当てが前記本体側に向かう程径を狭めるすり鉢状に壁面を有したものであることを特徴とする請求項１または請求項２に記載の光照射機器。
【請求項４】
前記肌当てが前記遮光筒に対して傾いて上記遮光筒の外周から突出した複数の棒を有したものであることを特徴とする請求項１〜３のいずれか一項に記載の光照射機器。
【請求項５】
前記肌当てが前記照射口と平行のフラット面を有したものであることを特徴とする請求項１〜４のいずれか一項に記載の光照射機器。
【請求項６】
前記フラット面上にローラーとボールの少なくとも一方を設けたものであることを特徴とする請求項５に記載の光照射機器。
【請求項７】
前記肌当てが弾性体からなるものであることを特徴とする請求項１〜６のいずれか一項に記載の光照射機器。
【発明の詳細な説明】
【技術分野】
【０００１】
本発明は、光照射機器、殊に生体の顔の皮膚に光を照射して肌ケアを行う光照射機器に関するものである。
【背景技術】
【０００２】
従来から、フラッシュライトやレーザー等の光源を備え、光源から発した可視光を照射口から生体の皮膚面に照射して、シミやニキビ等の除去や、脱毛等の肌ケアを行う光照射機器がある。そして、光照射機器の発する照射光は生体の眼や口腔内の粘膜等に入射すると、失明や火傷等の生体に損傷を与える危険性がある。そのため、特許文献１や特許文献２等のように照射光の外部への漏れを防止して、照射光の眼や粘膜への入射を防止している。
【０００３】
例えば、上記特許文献１は、図８に示すように、把持して使用する本体１０１の一端に光源からの光を外部に照射する照射口１０２を有したトリートメント装置である。そして、上記照射口の外周縁部に接触センサ等の生体の肌（皮膚２０）と照射口の接触を検知する検知部を複数設けて、全ての検知部が肌を検知した際にのみ光を照射するものであり、肌に対して傾いた状態等の不適切な姿勢での使用を防止して、照射光が外部に漏れることを防止している。また、特許文献２等のように、光を透過しない遮光筒で本体の外周を覆い、光を照射する範囲を本体と略同じ寸法に制限して、本体より外方へ照射光が漏れることを防止したものもある。
【先行技術文献】
【特許文献】
【０００４】
【特許文献１】特開２００５−２７８７２４号公報
【特許文献２】特開２００８−２８９８１０号公報
【発明の概要】
【発明が解決しようとする課題】
【０００５】
しかし、いずれも照射光の外部への漏れを防止したものにすぎず、眼の近傍で光を照射すると、照射光が皮膚の内側で反射拡散して生体内部で唇の裏面側である口腔内の粘膜や眼の網膜に入射してしまい、網膜や粘膜に損傷を与えることがあり、安全性が充分ではないという問題を有している。
【０００６】
そこで、本発明は上記問題に鑑みて発明したものであり、瞼や唇への光の照射を防止すると共に、照射光が生体内で反射拡散して眼や口腔内等に入射することを防止した小型で安全性の高い光照射機器を提供することを課題とした。
【課題を解決するための手段】
【０００７】
上記課題を解決するために、本発明の光照射機器は以下の構成を特徴としている。請求項１に係る発明は、把持して使用する本体１の一端に、光源４と、上記光源４の発した光を生体の皮膚２０に向けて照射する照射口５と、上記照射口５の外周を覆い光を遮断する遮光筒６と、上記遮光筒６の外周に位置し皮膚２０に接触する肌当て７と、を備えている。そして、遮光筒６の先端及び肌当て７を皮膚２０に当接して上記光源４の光を皮膚２０の遮光筒６に囲まれた部位に照射するものである。更に、遮光筒６と肌当て７の外端の間の照射口５と平行な面上の寸法を上記皮膚２０に照射した光が生体内部で反射拡散して無害化される距離である安全距離Ｌ以上としている。
【０００８】
このような構成としたことで、照射口５から放出された照射光が遮光筒６により照射口５より外周側に漏れることを防止できて、皮膚２０の照射口５と対向した部位にのみ照射光を照射することができる。そして、肌当て７の外端を照射口５から安全距離Ｌ以上離したことで、肌当て７の外端より内側にのみ光照射による影響が生じるものとなり、照射光を付与したくない部位を肌当て７より外方に位置させることで、該部位への光照射を容易に防止することができる。
【０００９】
また、請求項２に係る発明は、肌当て７が遮光筒６の外周から一体で延設されたものであることを特徴としている。
【００１０】
また、請求項３に係る発明は、肌当て７が本体１側に向かう程径を狭めるすり鉢状に壁面９を有したものであり、遮光筒６と壁面９の外端の間の照射口５と平行な面上の寸法を安全距離Ｌ以上としたことを特徴としている。
【００１１】
また、請求項４に係る発明は、肌当て７が遮光筒６に対して傾いて上記遮光筒６の外周から突出した複数の棒９を有したものであり、遮光筒６と棒９の先端の間の照射口５と平行な面上の寸法を安全距離Ｌ以上としたことを特徴としている。
【００１２】
また、請求項５に係る発明は、肌当て７が照射口５と平行のフラット面１１を有したものであり、遮光筒６とフラット面１１の外端の間の照射口５と平行な面上の寸法を安全距離Ｌ以上としたことを特徴としている。
【００１３】
また、請求項６に係る発明は、フラット面１１上にローラー１３とボール１６の少なくとも一方を設けたものであることを特徴としている。
【００１４】
また、請求項７に係る発明は、肌当て７が弾性体からなるものであることを特徴としている。
【発明の効果】
【００１５】
上記のように、本発明の光照射機器は遮光筒により皮膚の照射口に対向した部位にのみ光を照射するものであり、肌当てより眼や唇等の照射光を付与したくない部位を容易に照射光の影響を受ける範囲より除くことができる。そのため、照射光により眼の網膜や口腔内の粘膜等が損傷することを防止できて、安全性を向上することができるものとなっている。
【００１６】
また、肌当てを遮光筒に一体で形成したことで、本体を遮光筒のサイズに抑えられて、小型化することができる。そして、肌当てをすり鉢状や棒状や平面状に形成することで、肌当てを簡素な構成で照射口に対する安全距離を確保させることができる。
【００１７】
特に、フラット面上にローラーやボールを配置することで、ローラーやボールが皮膚に転がり接触して接触摩擦を低減できて、肌当ての当接位置を容易に調整することができると共に、ローラーやボールの転がりによるマッサージ刺激を皮膚に付与することができる。
【００１８】
また、肌当てを弾性体で形成したことで、皮膚に弾性的に接触して、肌当ての当接による不快感を生じ難くすることができる。
【図面の簡単な説明】
【００１９】
【図１】本発明の光照射機器の（ａ）正面図、（ｂ）断面図、（ｃ）側面図である。
【図２】同上の皮膚当接時の（ａ）断面図、（ｂ）側面図である。
【図３】他例の（ａ）正面図、（ｂ）要部断面図である。
【図４】更に他例の（ａ）正面図、（ｂ）要部断面図、（ｃ）皮膚当接時の要部断面図である。
【図５】また更に他例の皮膚当接時の側面図である。
【図６】同上の変形例の（ａ）正面図、（ｂ）側面図、（ｃ）要部断面図、（ｄ）同（ｃ）と別方向の要部断面図である。
【図７】同上の他の変形例の（ａ）正面図、（ｂ）要部断面図である。
【図８】従来の光照射機器の光照射動作の説明図である。
【発明を実施するための形態】
【００２０】
以下、図面に基づいて本発明の実施形態について説明する。
【００２１】
本発明の光照射機器は本体１を把持して顔等の生体の皮膚２０に照射口５を当接し、キセノンランプやハロゲンランプ等のフラッシュ発光やＬＥＤ等のレーザー光等の光を上記照射口５を介して上記当接した皮膚２０の表面に照射するものである。そして、照射する光の波長は近赤外光から可視光領域内であり、シミの低減・除去やニキビの解消等の肌ケアや、脱毛等の光美容（光理容）を行っている。なお、以下の説明において便宜上、照射口５に向かって本体を視た形状を正面視形状と定義する。
【００２２】
図１に示す実施例は光照射型美顔器であり、把持して使用する本体１内に、蓄電池等の電源２と、発光する光源４と、照射制御部（特に図示しない）等を有した回路部３と、を備えている。そして、本体１の一端には上記光源４の発した光を皮膚２０に照射する長方形状の照射口５を有しており、上記照射口５は照射口５と略面一あるいは照射口５より突出した遮光筒６により外周を覆われている。
【００２３】
上記遮光筒６は光を遮断する遮光部材で形成されたものあるいは光を遮断する塗装を周面に施したものであり、照射口５から放出された光が外周側に透過しないものである。そして、上記遮光筒６の照射口５の外周に沿った先端は照射時に皮膚２０に当接して、皮膚２０に密着して先端と皮膚２０の間に隙間が生じないものとなっている。
【００２４】
そのため、照射方向Ｆ以外を向いた照射光が照射口５の外周側に漏れることを防止しており、照射口５からの光が皮膚２０の照射口５と対向した位置にある部位にのみ照射されるものとなっている。特に、上記遮光筒６を弾性体で形成するあるいは遮光筒６の先端に弾性体を設けることで、当接時の皮膚２０との密着性を向上できて、より確実に照射口５の漏れを防止できて好ましい。
【００２５】
また、上記遮光筒６の外周には光照射時に皮膚２０に先端を当接して照射位置を決める筒形状の肌当て７が配置されており、上記照射口５の外周から上記肌当て７の内周面に至る平面上の寸法距離のうち、最短距離が１ｃｍ以上となっている。そのため、眼の近傍の皮膚２０である頬に光を照射する際に、使用者が眼の直近の皮膚２０である瞼と頬の境目に肌当て７を当接すると、肌当て７により照射口５が眼から１ｃｍ以上離れた位置となる。そして、照射口５と眼が１ｃｍ離れたことで、照射口５から頬等の目や唇の直近の皮膚２０に光を照射しても、皮膚２０の内側である生体内で反射拡散した照射光が上記距離を進む内に減衰されるものである。
【００２６】
つまり、上記肌当て７により確保された距離は生体内で反射拡散した照射光が生体内で安全な光量に減衰して無害化される安全距離Ｌである。そして、上記肌当て７により照射口５と眼や唇等の間に上記安全距離Ｌが確保されるため、眼や唇等の照射光を付与したくない部位を照射光の影響を受ける範囲から容易に除くことができる。そのため、照射光が眼の網膜や、鼻や口腔内の粘膜等に入射されることが無いあるいは無害な光量に低減されて入射されるものとなり、眼や粘膜等の照射光を当てたくない部位に対する安全性を向上した美顔器となっている。
【００２７】
更に、肌当て７の内側に配置した遮光筒６で照射口５の外周を覆っているため、照射口５と肌当て７の間の空間内に照射光が漏れて、眼に光を透過する瞼等へ光が照射されることはもちろん、生体内で反射拡散した照射光が安全な光量まで減衰されずに眼に入射されることを確実に防止している。なお、肌当て７に、遮光筒６のように光を遮断する材料で形成したものや、光を遮断する塗装を施したものを用いることで、照射口５を二重に覆い遮光性を向上させてもよい。
【００２８】
また、上記肌当て７は照射口５から放出された照射光の進行方向である照射方向Ｆに前後動すると共に、内蔵したばね等の弾性付勢体８により照射方向Ｆに付勢されており、非当接時に照射口５及び遮光筒６より照射方向Ｆに先端が突出している。そして、皮膚当接時には、図２に示すように、当接した皮膚２０に押されて弾性付勢体８に抗して照射方向Ｆと逆向きにスライドして、非当接時の位置より本体１側に後退する。このとき、肌当て７の先端の本体１からの照射方向Ｆにおける突出高さは遮光筒６の先端の突出高さと略同じになり、互いの先端が照射方向Ｆに直交する向きに略面一で並ぶものとなっている。
【００２９】
そのため、皮膚２０に当接する際に、肌当て７が常に照射口５及び遮光筒６より先に皮膚２０に接触して照射位置を決めるものとなっており、容易に眼から１ｃｍ以上離れた位置に照射口５及び遮光筒６を配置できて、使い勝手及び安全性を向上したものとなっている。なお、上記安全距離Ｌは照射光の光量や波長、あるいは照射口５の形状等により適宜設定するものであり、上記１ｃｍは単なる例示にすぎず、照射光が減衰し難く拡散し易い波長のもの等では安全距離Ｌが１ｃｍより大きい値に設定されるものである。
【００３０】
また、肌当て７の変形例として、図３に示すように、遮光筒６の外周にすり鉢の壁面状に固定されたスライド動作しないものであってもよい。詳しくは、遮光筒６の本体１側の端部から遮光筒６の外方に広がりながら照射方向Ｆに突出した正面視略楕円形状で照射方向Ｆに対して傾斜した壁面９となっている。つまり、照射口５を底部として、有底の筒状に遮光筒６が配置されており、遮光筒６の本体１側の端部の外周にすり鉢状に肌当て７が配置されたものである。そして、肌当て７は先端の外周と遮光筒６の外周に接した内端の間の寸法距離が１ｃｍ離れており、皮膚当接時の安全距離Ｌを確保している。更に、肌当て７の先端と遮光筒６の先端の照射方向Ｆにおける本体１からの突出量は略等しいものとなっており、肌当て７が照射口５より先に皮膚２０に接すると共に、遮光筒６が皮膚２０と密着するものとなっている。
【００３１】
このように、使用時に、肌当て７により眼や粘膜に対する安全距離Ｌを確保すると共に、照射光の外部への漏れを防止しており、安全性の高い美顔器となっている。そして、肌当て７をすり鉢状としたことで、本体１よりも外方に肌当て７の外周を位置させることができて、本体１の小型化を行えて、本体１を把持し易くできて、使い勝手をより向上することができる。
【００３２】
また、肌当て７は照射位置を決める際に安全距離Ｌを確保可能なものであれば、図４に示すように、遮光筒６の外周に延設した複数の棒形状としてもよい。詳しくは、球状の先端を有した棒１０が遮光筒６の先端の外周に照射方向Ｆに対して外方に傾いて複数本延設されており、上記傾いた状態での各棒１０の球状の先端から他端である遮光筒６との接合端までの正面視における寸法距離が略１ｃｍとなっている。そして、上記棒１０は弾性体で形成されており、遮光筒６を皮膚２０に当接するために照射方向Ｆに本体１を皮膚２０へ押し付けることで、棒１０の先端が皮膚２０を弾性付勢して外方に押し広げながら、棒１０の周面が遮光筒６の先端と略面一になるまで上記接合端を支点に外方へ回動するものとなっている。
【００３３】
つまり、肌当て７は皮膚当接時に遮光筒６や照射口５より先に上記棒１０の先端を皮膚２０に接触させて安全距離Ｌを確保すると共に、遮光筒６を皮膚２０に当接密着させる際に、回動して棒１０の先端で皮膚２０を外方へ押し広げるものである。このとき、棒１０により押し広げられた皮膚２０は毛穴や生体成分を分泌する分泌腺等を開くと共に、押し広げられた状態で遮光筒６に当接されて毛穴や分泌腺等が開いた状態に保持される。そのため、開いた毛穴や分泌腺に照射光が当たり、光照射による美容効果を向上させることができる。なお、上記棒１０の形状や数、配置は照射口５や遮光筒６の形状や安全距離Ｌに応じて適宜設定するものである。
【００３４】
また、肌当て７は、図５に示すように、遮光筒６の先端と略面一で照射方向Ｆに直交したフラット面１１として遮光筒６の先端外周に延設して、低コスト化及び本体１の小型化を行うと共に、眼の接近した際に上記面が視界を遮り安全距離Ｌを認識し易くしてもよい。
【００３５】
更に、フラット面１１を遮光筒６の先端より後方側の外周に設けて、皮膚２０に転がり接触するローラー１３やボール１６を上記フラット面１１に複数配置して、皮膚２０と肌当て７の接触抵抗を軽減してもよい。
【００３６】
例えば、図６に示すように、遮光筒６の外周にフラット面１１が安全距離Ｌと略同じ寸法で延設されており、上記フラット面１１に二つのローラー保持凹所１２が形成されている。そして、各ローラー保持凹所１２に夫々ローラー１３が配置保持されており、各ローラー１３の回転軸１４はフラット面１１に平行でフラット面１１の表面近傍に位置している。
【００３７】
上記ローラー１３は安全距離Ｌより内側に位置し、且つ周面の略半分をフラット面１１から露出させている。そして、フラット面１１に直交し且つローラー１３の上記回転軸１４を通る線上に位置するローラー１３の最も突出した部位が遮光筒６の先端より突出量が大きいものとなっている。そのため、ローラー１３が遮光筒６より先に皮膚２０に転がり接触するものとなっている。このとき、瞼や唇等にローラー１３が接触すると使用者に不快感を与えるため、使用者にローラー１３が瞼や唇等に接触しない位置に調節させることで、光照射時の安全距離Ｌを確保するものとなっている。
【００３８】
このように、肌当て７にローラー１３を設けて皮膚２０に転がり接触させたことで、肌当て７を皮膚２０上に滑らせて移動させることができて、安全距離Ｌを確保した照射位置に容易に調節可能な使い勝手のよい美顔器となっている。そして、光を照射する際には、本体１を照射方向Ｆに皮膚２０へ押すことで、皮膚２０の弾性によりローラー１３が皮膚２０に沈み込み遮光筒６を皮膚２０に当接させて密着させることができるため、照射時に照射光が外部に漏れることを防止している。更に、肌当て７が皮膚２０に転がり接触して移動可能であるため、ローラー１３の回転により皮膚２０へマッサージ刺激を付与できて、マッサージによる血行促進等で光美容効果をより向上させることができる。
【００３９】
また、図７に示すように、ローラー１３の代わりに複数のボール１６を用いて、肌当て７を皮膚２０に転がり接触させてもよい。
【００４０】
詳しくは、フラット面１１の遮光筒６の四隅の外方位置に夫々円形状に開口したボール受け凹部１５が設けられており、各ボール受け凹部１５に回転自在でボール１６が配置保持されている。そして、各ボール１６のフラット面１１から最も突出した頂点部分はローラー１３と同様に遮光筒６の先端より大きく突出しており、遮光筒６より先に皮膚２０に接触し、且つボール１６の転がり接触により肌当て７が皮膚２０上を滑り移動可能となっている。更に、照射位置を容易に変更調節可能で且つボール１６が瞼や唇に接触すると使用者が不快感を受けるため、容易に安全距離Ｌを確保できると共に、ボール１６の回転により皮膚２０にマッサージ刺激を付与できて、安全性及び光美容効果が高い美顔器となっている。
【００４１】
なお、上記ローラー１３、ボール１６の数や配置は例示にすぎず、ローラー１３を照射口５の四隅外方に夫々配置する等の照射口５の形状やサイズ等に応じて数や配置は適宜設定する程度のものである。もちろん、肌当て７の外端が照射口５の外周から安全距離Ｌ以上離れた位置にあるものであれば、肌当て７は上記すり鉢の傾斜した壁面９の先端に回動する棒１０を付与したものや、フラット面１１の外周に傾斜した壁面９を延設したもの等であってもよい。
【符号の説明】
【００４２】
１  本体
５  照射口
６  遮光筒
７  肌当て
２０  皮膚
Ｆ  照射方向
Ｌ  安全距離
【図１】
2011067455.tif 000003
【図２】
2011067455.tif 000004
【図３】
2011067455.tif 000005
【図４】
2011067455.tif 000006
【図５】
2011067455.tif 000007
【図６】
2011067455.tif 000008
【図７】
2011067455.tif 000009
【図８】
2011067455.tif 000010